(57)【要約】【課題】  軽い力で引出式洗浄槽を収容位置に押込むことができる引出式食器洗浄機を実現すること。【解決手段】  引出式洗浄槽２３が収容位置にあることを検知する位置センサー４０が備えられている。その位置センサー４０によって引出式洗浄槽２３が収容位置に収容されたことを検知したときに、内蓋４２を下降させるアクチュエーター５２が備えられている。引出式洗浄槽２３を収容位置に押込む力を利用して内蓋４２を下降させる必要がない引出式食器洗浄機である。【選択図】  図２
2005058372.tif 000002
【特許請求の範囲】
【請求項１】
洗浄槽が収容位置にあることを検知する位置センサーと、
その位置センサーによって洗浄槽が収容位置に収容されたことを検知したときに、内蓋を下降させるアクチュエーターとを備える食器洗浄機。
【請求項２】
アクチュエーターの運動を内蓋の上下動に変換する内蓋開閉機構の一部に弾性体が利用されており、
その弾性体によってアクチュエーターが内蓋に加える力を緩衝することを特徴とする請求項１の食器洗浄機。
【請求項３】
内蓋が下降している間、洗浄槽が収容位置から引きだされることを禁止する手段が付加されていることを特徴とする請求項１又は２の食器洗浄機。
【請求項４】
洗浄槽の収容時に収容速度が速すぎれば減速して収容位置に向けて引き込み、収容速度が遅ければ収容位置に向けて引き込む制動補助機構が付加されていることを特徴とする請求項１〜３のいずれかの食器洗浄機。
【請求項５】
食器洗浄運転が終了したときに、アクチュエーターによって内蓋を上昇させる手段が付加されていることを特徴とする請求項１〜４のいずれかの食器洗浄機。
【請求項６】
操作者の操作を検知してアクチュエーターによって内蓋を上昇させる手段が付加されていることを特徴とする請求項１〜４のいずれかの食器洗浄機。
【発明の詳細な説明】
【技術分野】
【０００１】
本発明は引出式食器洗浄機に関する。詳しくは、内蓋の自動昇降機構を備えた引出式洗浄機に関する。
【背景技術】
【０００２】
引出式食器洗浄機は、前面が開放された箱状の洗浄機本体と、洗浄機本体の前面から引出される引出式洗浄槽を備えている。引出式洗浄槽の上面は開口しており、使用者は洗浄機本体から洗浄槽を引出し、上面の開口を利用して食器等を洗浄槽内に並べ、洗浄槽を洗浄機本体に押込む。この状態で、食器洗浄機の運転が開始される。
引出式食器洗浄機は、洗浄工程中に引出式洗浄槽の上面の開口から洗浄水が漏れるのを防止するために内蓋を備えている。内蓋は引出式洗浄槽の上面の開口を閉塞する。従来の引出式食器洗浄機では、引出式洗浄槽が収容位置に戻される動きを利用し、その動きを内蓋の下降運動に変換する機械式の内蓋開閉機構を備えている。
【発明の開示】
【発明が解決しようとする課題】
【０００３】
しかしながら、機械式の内蓋開閉機構では、収容位置に向けて水平に移動する引出式洗浄槽の動きを利用して内蓋を下降させるために、引出式洗浄槽を収容位置に押込むのに必要とされる力が大きく、強い力で洗浄槽を洗浄機本体に押込む必要がある。押込む力が強すぎると収容位置に移動した洗浄槽が収容位置で急停止し、食器等が損傷する可能性がある。
本発明の目的は、軽い力で引出式洗浄槽を収容位置に押込むことができる引出式食器洗浄機を実現することである。
【課題を解決するための手段】
【０００４】
本発明の引出式食器洗浄機は、洗浄槽が収容位置にあることを検知する位置センサーと、その位置センサーによって洗浄槽が収容位置に収容されたことを検知したときに内蓋を下降させるアクチュエーターとを備える。
上記の引出式食器洗浄機によると、引出式洗浄槽を収容位置に押込む力を利用して内蓋を下降させる必要がなく、軽い力で引出式洗浄槽を収容位置に押込むことができる。
【０００５】
アクチュエーターの運動を内蓋の上下動に変換する内蓋開閉機構の一部に弾性体が利用されていることが好ましい。
食器洗浄機の使用者が、洗浄槽の上縁よりも高い位置まで食器等を収容してしまう場合がある。この場合、下降する内蓋によって食器等破損する恐れがある。内蓋開閉機構の一部に弾性体が利用されていると、上記の場合には食器等が内蓋に加える力によって弾性体が変形し、内蓋の下降動作によって食器等が破損することを抑制することができる。もっとも弾性体が変形するために、内蓋が洗浄槽の開口を塞ぎきれない事象がおこり、洗浄水が漏れでることを防止できない事象が生じる可能性が生じるが、それに対しては別途の対策を講じればよい。
【０００６】
内蓋が下降している間は、洗浄槽が収容位置から引きだされることを禁止する手段が付加されていることが好ましい。
上記の禁止手段が設けられていれば、使用者が洗浄工程中に不用意に洗浄槽を引き出そうとした場合でも、洗浄槽を引き出すことができない。高温の洗浄水が漏れでることを禁止することができる。
【０００７】
洗浄槽の収容時に収容速度が速すぎれば減速して収容位置に向けて引き込み、収容速度が遅ければ収容位置に向けて引き込む制動補助機構が付加されていることが好ましい。
使用者が強い力で洗浄槽を押込んだために、洗浄槽が収容位置に向けて早く移動しすぎれば、収容位置に到達したときに洗浄槽が急減速して食器等が損傷する可能性がある。使用者が洗浄槽に加えた力が弱すぎれば洗浄槽が収容位置にまで移動しないことがある。
洗浄槽の収容速度が速すぎれば減速して収容位置に向けて引き込み、収容速度が遅ければ収容位置に向けて引き込むようにすると、洗浄槽が急減速して食器等が損傷することを抑制でき、しかも洗浄槽が収容位置に収容されない現象の発生を抑制することができる。
【０００８】
食器洗浄運転が終了したときに、アクチュエーターによって内蓋を上昇させる手段が付加されていることが好ましい。
この場合、食器洗浄運転が終了すると、内蓋が上昇して洗浄槽から離反し、使用者は軽い力で洗浄槽を引き出すことが可能となる。
【０００９】
食器洗浄運転の終了をきっかけとして内蓋を上昇させる代わりに、操作者の操作を検知してアクチュエーターによって内蓋を上昇させる手段を設けてもよい。
この場合、食器洗浄運転終了後も内蓋が洗浄槽を閉じつづけ、異物等の浸入を防止することができる。操作者は洗浄槽を引き出すときにスイッチ等を操作して内蓋を上昇させることができる。使用者は軽い力で洗浄槽を引き出すことが可能となる。
【発明の効果】
【００１０】
本発明の食器洗浄機によれば、引出式洗浄槽を収容位置に押込む力を利用して内蓋を下降させる必要がなく、軽い力で引出式洗浄槽を収容位置に押込むことができる。使用者の使用感が向上する。
【発明を実施するための最良の形態】
【００１１】
最初に実施例の主要な特徴を列記する。
（第１実施形態）
アクチュエーターがモーターであり、減速機構を介して連携ピンを回転させる。その連携ピンの両側の回転限界に、内蓋が下降したことを検知する下限スイッチと、内蓋が上昇したことを検知する上限スイッチが備えられている。
【００１２】
（第２実施形態）
一つのアクチュエーターが、スライド部材を洗浄機本体に対してスライドさせる。そのスライド部材の前側に前側リンク機構が連携し、スライド部材の奥側に奥側リンク機構が連携している。前側リンク機構は内蓋の前側に連携し、奥側リンク機構は内蓋の奥側に連携している。一つのアクチュエーターが、内蓋の前側と内蓋の奥側を、同時に上下動させる。
（第３実施形態）
内蓋を上下動させるリンク機構にロックピンが設けられ、内蓋が下降するとロックピンが洗浄槽に係合して洗浄槽が引き出されるの禁止する。
【実施例】
【００１３】
本発明を具現化した引出式食器洗浄機を、図面を参照して以下に詳細に説明する。
本実施例の引出式食器洗浄機は、洗浄機本体の前面が開放されており、その開口から洗浄槽を引出し、引出された洗浄槽を洗浄機本体内に収容するように構成されている。
まず、実施例の引出式食器洗浄機の特徴を、図１に示すブロック図によって説明する。
【００１４】
使用者が食器などを引出式洗浄槽に並べた後に、引出式洗浄槽を洗浄機本体へ押込んで移動させる。引出式洗浄槽は洗浄機本体の所定の収容位置に配置されたことを位置センサーによって検知する。位置センサーで検知されると、その情報は表示部（例えば表示ランプ）を介して使用者に伝達される。同時にその情報は制御部に入力される。
引出式洗浄槽が収容位置に配置されたという情報を、表示部を介して知った使用者は、運転スタートに対応するスイッチを操作し、入力部を介して制御部へ入力する。
制御部は、位置センサーからの入力と、運転スタート信号の入力の両条件が成立したときに、アクチュエーターを作動させる。アクチュエーターは内蓋を下降させて、洗浄槽の上面の開口部を閉塞する。
この実施例に代えて、制御部は、位置センサーからの入力があったときに、アクチュエーターを作動させて内蓋を下降させてもよい。すなわち、運転スタートスイッチの操作を待たずに内蓋を下降させてもよい。この場合、使用者が運転スタートスイッチを操作すると、洗浄運転が開始する。
【００１５】
従来のこの種の食器洗浄機では、引出式洗浄槽を収容する動きを利用して、内蓋を下降させていたために、引出式洗浄槽を収容位置に押込むのに必要とされる力が大きく、強い力で引出式洗浄槽を洗浄機本体に押込む必要があった。
本実施例の食器洗浄機では、引出式洗浄槽が収容位置に収容された後に内蓋が下降する。内蓋の下降運動はアクチュエーターを用いて実施される。したがって引出式洗浄槽を収容位置に押込む力を利用して内蓋を下降させる必要がなく、軽い力で引出式洗浄槽を収容位置に押込むことができる。
また、従来の食器洗浄機では、引出式洗浄槽の水平移動と内蓋の下降運動が同時に進行するため、内蓋と引出式洗浄槽がこすりあう状態が発生していた。
本実施例の引出式洗浄機では、引出式洗浄槽の水平移動と内蓋の下降運動が同時には進行しない。内蓋と引出式洗浄槽がこすれあう状態が発生しない。内蓋が引出式洗浄槽とこすれあって両者を水密に接触させるシール部材が磨耗することを抑制することもできる。
引出式洗浄槽が収容位置に収容されたことを使用者へ伝達するための表示部は、表示という手段に限られず、例えば、ブザーなどによって報知してもよい。また、表示部や入力部がない構成であってもよい。引出式洗浄槽が収容位置に収容されたことを検知したときに、アクチュエーターの運動を開始する構成にしてもよい。また、引出式洗浄槽が収容位置に配置されていないことを使用者に報知する手段が付加されていてもよい。引出式洗浄槽が収容位置に配置されていない状態で、使用者が運転スタートスイッチを操作した場合などに、例えばブザーなどによって報知する。使用者は引出式洗浄槽が収容位置に配置されていないことを知り得ることができ好適である。
【００１６】
次に、本実施例の引出式食器洗浄機の全体構成を図２と図３を用いて説明する。図２は引出式洗浄槽が洗浄機本体から引出され、内蓋が開いた状態の概略横断面図を示す。図３は引出式洗浄槽が洗浄機本体の収容位置に収容され、内蓋が閉じた状態の概略横断面図を示す。なお、いずれの図も主要な構成のみが記載されている。
【００１７】
図２に示すように、引出式食器洗浄機は引出式洗浄槽２３と洗浄機本体２２を備える。
引出式洗浄槽２３は、上面が開口された構成であり、その開口部から食器かご２４内に食器等を並べる。引出式洗浄槽２３の前面（紙面左側）は扉であり、その扉の表面には表示パネル３２や、電源スイッチや運転スタート／運転一時停止などの各種スイッチが配置された操作パネル３４が形成されている。表示パネル３２や操作パネル３４と電気的に接続されている制御部３６が扉内部に形成されている。制御部３６は、食器洗浄機の各部の動作を制御する。
洗浄ノズル２６から加圧された洗浄水が噴出する。洗浄槽２３内に噴出した洗浄水は洗浄槽２３にたまり、図示しない洗浄ポンプに送られ、洗浄ポンプによって加圧され、通路２５を経由して再び洗浄ノズル２６に供給される。洗浄水は繰返し利用される。
洗浄が終了すると、図示しない排水ポンプが作動して洗浄水が吸い込み通路２７を経由して引出式洗浄槽２３の底部から吸出され、最終的には図示しない排水ホースを通り、洗浄機本体２２の外部に排出される。
【００１８】
洗浄機本体２２内の上方には内蓋４２が配置されている。内蓋４２は、後記する図４、図５に示す内蓋開閉機構を介してアクチュエーター５２に連結されている。アクチュエーター５２は、洗浄機本体２２の内側面に配置されている。
位置センサー４０は、洗浄機本体２２の内側面に配置されており、洗浄槽２３の外側面に形成されているセンサーピン４０ａに対応する位置に配置されている。位置センサー４０は、センサーピン４０ａによって揺動されるレバー３９と、レバー３９の揺動に連動してオン・オフするマイクロスイッチ４１で構成されている。
引出式洗浄槽２３が洗浄機本体２２内に押込まれると（図３参照）、洗浄槽２３のセンサーピン４０ａは洗浄槽２３に追従して洗浄機本体２２内に移動する。洗浄槽２３が収容位置まで移動すると、センサーピン４０ａがレバー３９を揺動させ、揺動するレバーの外周面によってマイクロスイッチ４１がオンする。位置センサー４０は、引出式洗浄槽２３が収容位置に収容されている間はオンする。
なお、位置センサーは上記の態様に限定されるものではなく、様々なセンサーを適宜用いることができる。
【００１９】
引出式洗浄槽２３が収容位置に配置されたことを検知（マイクロスイッチがオンする）すると、その情報は制御部３６に入力される。一方、引出式洗浄槽２３が収容位置に収容されたことを、表示パネル３２の表示ランプを介して使用者に伝達する。使用者は引出式洗浄槽２３が収容位置に収容されたことを、表示パネル３２を介して確認した後に、操作パネル３４の運転スタートスイッチをオンする。
アクチュエーター５２は制御部３６からの出力によって作動し、内蓋開閉機構を介して内蓋４２を下降させ、洗浄槽２３の開口部を閉塞する。
【００２０】
洗浄機本体２２内の底板には、洗浄槽２３が収容されるときに、クッション機能を果たす制動補助機構が備えられている。使用者が洗浄機本体２２内に引出式洗浄槽２３を速い収容速度で押込む場合には、引出式洗浄槽２３に制動力が加わり、引出式洗浄槽２３は減速される。減速された速度で収容位置に向けて引き込まれる。一方、使用者が洗浄機本体２２内に引出式洗浄槽２３を遅い収容速度で押込む場合には、制動補助機構が引出式洗浄槽２３を収容位置に引き込む。
使用者が強い力で引出式洗浄槽２３を押込んだ場合は、制動補助機構が引出式洗浄槽２３に制動力を加えて速度を落とすために、引出式洗浄槽２３が急停止する場合の衝撃を和らげ、食器などの損傷を抑制できる。一方、弱い力で引出式洗浄槽２３を押込む場合は、制動補助機構が引出式洗浄槽２３を収容位置まで移動するのを補助するため、使用者は軽い力で引出洗浄槽２３を収容位置に押込むことができる。
この制動補助機構が備えられていると、引出式洗浄槽２３は収容位置にほぼ一定の速度で収容することができる。例えば、制動補助機構が備えられていない場合、強い力で引出式洗浄槽２３を洗浄機本体２２内に押込むと、収容位置に一旦配置された引出式洗浄槽２３が跳ね返り、収容位置から移動する場合がある。その場合でも、位置センサー４０は、一旦配置された状態を検知し、洗浄槽２３が収容位置に収容されていると誤作動する場合がある。しかしながら、制動補助機構が備えられていると、洗浄槽２３がほぼ一定の収容速度で収容位置に配置されるため、位置センサー４０の誤作動を低減することができる。
【００２１】
次に、アクチュエーター５２と内蓋４２を連携し、アクチュエーター５２の運動を利用して内蓋４２を上下動させる内蓋開閉機構を図４と図５を用いて説明する。図４は引出式洗浄槽２３が洗浄機本体２２から引出され、内蓋４２が開いた状態の内蓋開閉機構の概略横断面図であり、図５は引出式洗浄槽２３が洗浄機本体２２の収容位置に収容され、内蓋４２が閉じた状態である。
【００２２】
アクチュエーター５２はモーターを備えている。モーターには減速機構が組込まれており、減速された速度で円盤４９を回転させる。円盤４９には連携ピン４９ａが形成されており、その連携ピン４９ａにフック４８が係合されている。フック４８の一端にはワイヤー４７が連携されている。ワイヤー４７の他端はスライド部材４３のほぼ中央に連携されている。ワイヤー４７の一部は弾性体で構成されている。この弾性体のテンションは大きく、非常に強い力が加わらなければ伸縮しない弾性体で構成するのが好適である。
スライド部材４３のほぼ中央にはバネ４６の一端が取付けられており、バネ４６の他端が洗浄機本体２２の前側の内側面に取付けられている。バネ４６はスライド部材４３を洗浄機本体の前面側（紙面左側）に付勢している。
バネ４６およびワイヤー４７の一部が弾性体で構成されていると、アクチュエーター５２が内蓋４２に加える力を緩衝することができる。
【００２３】
スライド部材４３には少なくとも２つのリンカー４４が連携されており、そのリンカー４４の他端には内蓋４２が連携されている。実施例では、リンカー４４がスライド部材４３の前側（４４ａ）と後側（４４ｂ）に形成されている。
リンカー４４は略Ｌ字形の形状をしており、ピン４４ｃによって洗浄機本体２２に対して揺動可能とされている。
【００２４】
後側リンカー４４ｂにはロックピン４５が形成されている。またロックピン４５に対応して引出式洗浄槽２３の外側面にはロックピン止め４５ａが形成されている。ロックピン４５は後側リンカー４４ｂのピン４４ｃを軸心とする円運動に連動して、ほぼ下方向に連動される。洗浄槽２３が収容位置にあるときにロックピン４５が存在する位置にロックピン受け４５ａが形成されている。
このロックピン４５とロックピン受け４５ａが構成されていると、内蓋４２が引出式洗浄槽２３の開口部を閉塞した状態をロックすると同時に、引出式洗浄槽２３を収容位置にロックすることができる。つまり、ロックピン４５は後側リンカー４４ｂに形成されており、その後側リンカー４４ｂは洗浄機本体２２に係合している。したがって、内蓋４２が引出式洗浄槽２３の開口部を閉塞した状態でロックすることは、同時に引出式洗浄槽２３を収容位置にロックすることになる。内蓋４２が下降している間、引出式洗浄槽２３が収容位置から引き出されるのを禁止することができる。
また、バネ４６とワイヤー４７の一部に弾性体が利用されていると、ロックピン４５とロックピン受け４５ａを備える構成と相俟って、更なる効果を奏する。ロックピン４５とロックピン受け４５ａによって、引出式洗浄槽２３と洗浄機本体２２がロックされた状態で、例えば食器洗浄機の故障や停電などによって、ロックされた状態が解除できない状況が発生する場合がある。そのような状況でも、バネ４６とワイヤー４７の一部に弾性体が利用されていれば、引出式洗浄槽２３を強く引出すことで、その弾性体の伸縮機能によってロックピン４５とロックピン受け４５ａを解除することが可能となる。
【００２５】
次に図４と図５を参照して内蓋開閉機構の動作を説明する。
制御部３６からの出力によってモーターが回転し、円盤４９を半周回転させる。円盤４９が半周回転することによって連携ピン４９ａは半回転の前後で所定の距離を移動する。この移動に対応してフック４８及びワイヤー４７も所定の距離を移動する。ワイヤー４７の移動に連動してワイヤー４７に連携するスライド部材４３も洗浄機本体２２に対して略水平後方へスライドする。このスライド部材４３の略水平後方のスライドと、前側リンカ４４ａと後側リンカー４４ｂは連動し、それぞれのリンカー４４はピン４４ｃを軸心として揺動する。この揺動に連動して内蓋４２前側と後側が同時にほぼ垂直下方へ下降する。
上記の内蓋開閉機構の特徴は、一つのアクチュエーター５２の運動によって、内蓋４２が水平のバランスを保持しながら上下動が可能なことである。
円盤４９半周回転が内蓋４２のほぼ垂直下方への移動となるように、各々の部材は適宜設計されている。
【００２６】
図６は、本実施例の食器洗浄機の概略正面図であり、洗浄槽２３が収容位置に収容されていない状態が図示されている。
位置センサー４０は洗浄機本体２２の内側面に形成されており、洗浄機本体２２の右奥に配置されており、引出式洗浄槽２３の動作と干渉しない位置に配置されている。位置センサー４０に対応して、引出式洗浄槽２３の外側面にセンサーピン４０ａが形成されている。位置センサー４０は左右どちらかの洗浄機本体２２の内側面に形成されていればその機能を有する。
アクチュエーター５２（本実施例ではモーターが例示されている）は洗浄機本体２２の内側面に形成されており、左右両方の内側面に形成されている。アクチュエーター５２には洗浄水の漏水の影響を防ぐためアクチュエーター５２を覆うカバーが備えられている。カバーは引出式洗浄槽２３の動作を干渉しないように形成されている。アクチュエーター５２からスライド部材４３に伸びるワイヤー４７はカバーによってその動きを干渉されないように、カバーには開口部が形成されている。
【００２７】
本実施例のアクチュエーター５２のモーターには、半周を回転限界として精度良く内蓋４２を上下動させるための構成が備えられている。
図７と図８にはアクチュエーター５２の要部拡大図が模式的に示されており、図７は引出式洗浄槽２３が洗浄機本体２２から引き出され、内蓋４２が開いた状態のアクチュエーター５２の要部拡大図が模式的に示されており、図８は引出式洗浄槽２３が洗浄機本体２２の収容位置に配置され、内蓋が閉じた状態である。なお、円盤４９、連携ピン４９ａ、フック４８は、その位置に対応して破線で図示されている。
【００２８】
図７に示すように、モーターに形成されている円盤４９と同一の軸心とするスイッチ制御環６４が形成されている。スイッチ制御環６４は、円盤４９の回転と同期して回転する。スイッチ制御環６４の一部には突部が形成されている。軸心を点対称とする位置に上限スイッチ６２ａと下限スイッチ６２ｂが形成されている。各々のスイッチは、スイッチ制御環６４の突部に接触することでオンされる位置に配置されている。
図７に示すように、洗浄槽２３が収容位置に配置されていない状態では、上限スイッチ６２ａのスイッチ側に突部の位置が対応している。
洗浄槽２３が洗浄機本体２２に収容位置に配置されると、制御部３６からの出力によってモーターが回転して内蓋４２が下降する。内蓋４２が所定の位置まで下降するには、円盤４９がちょうど半周回転する必要がある。図８に示すように、円盤４９が半周回転すると（内蓋４２が所定の位置まで下降すると）、同一の軸心とするスイッチ制御環６４も半周回転し、スイッチ制御環６４の突部によって下限スイッチ６２ｂがオンされる。この信号に対応してモーターは停止される。したがって、内蓋４２は所定の下降位置に精度よく移動されることになり、洗浄槽４２の開口部を精度よく閉塞可能となる。また、モーターの回転方向はどちらに回転してもよく、その回転方向に合わしてスイッチなどを配置すればよい。
一方、洗浄運転が終了した場合、やはりモーターが回転して内蓋４２が上昇する。この場合でも半周回転すると（内蓋４２が所定の位置に配置されると）、上限スイッチ６２ａがオンされ（図７参照）、その信号に対応してモーターが停止する。したがって、内蓋４２は洗浄機本体２２内の上方の所定の位置に精度よく配置される。
なお、上限スイッチ６２ａのオン信号に対応して、ブザーなどを介して使用者に運転終了を報知する構成としてもよい。
なお、内蓋４２の下降運動は、水漏れなどが発生しないためにも精度よく引出式洗浄槽２３の開口部を閉塞する必要がある。したがって下限スイッチ６２ｂは左右両方のモーターに構成されていのが好ましい。この場合、内蓋４２の左右が傾斜することなく、所定の位置まで下降することができるため、引出式洗浄槽２３の開口部を制度良く閉塞することができる。それに反して、上限スイッチ６２ａはいずれか一方のモータにのみ設ければよい。一方のモータが内蓋を上動させる位置まで回転したときに他方のモータの回転を停止させるようにしてもよい。
【００２９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図面の簡単な説明】
【００３０】
【図１】実施例の食器洗浄機の概念を模式的に説明するブロック図を示す。
【図２】洗浄槽が引き出された食器洗浄機の概略横断面図を示す。
【図３】洗浄槽が収容位置に収容された食器洗浄機の概略横断面図を示す。
【図４】洗浄槽が引き出された状態の内蓋開閉機構の概略横断面図を示す。
【図５】洗浄槽が収容位置に収容された状態の内蓋開閉機構の概略横断面図を示す。
【図６】洗浄槽が引き出された状態の食器洗浄機の概略正面図を示す。
【図７】モーターの概略図を示す（洗浄槽が引き出され、内蓋が開いた状態）。
【図８】モーターの概略図を示す（洗浄槽が収容位置に収容され、内蓋が閉じた状態）。
【符号の説明】
【００３１】
２２：洗浄機本体
２３：引出式洗浄槽
３２：表示パネル
３４：操作パネル
３６：制御部
４０：位置センサー
４０ａ：センサーピン
４２：内蓋
４３：スライド部材
４４：リンカー
４５：ロックピン
４５ａ：ロックピン受け
４６：バネ
４７：ワイヤー
４８：フック
４９：円盤
４９ａ：連携ピン
５２：アクチュエーター
６２ａ：上限スイッチ
６２ｂ：下限スイッチ
６４：スイッチ制御環
【図１】
2005058372.tif 000003
【図２】
2005058372.tif 000004
【図３】
2005058372.tif 000005
【図４】
2005058372.tif 000006
【図５】
2005058372.tif 000007
【図６】
2005058372.tif 000008
【図７】
2005058372.tif 000009
【図８】
2005058372.tif 000010